(57)【要約】【課題】  ドレン収容部を取り外すことなく、抗菌剤のメンテナンスが可能となるようにする。【解決手段】  熱交換器６からのドレン水Ｄを受け止めるドレン収容部８を備え、該ドレン収容部８の最深部８ａに、ドレン収容部８内のドレン水Ｄを抜き取るための水抜き穴１４を形成し且つ該水抜き穴１４に、水抜き栓１５を着脱自在に設けてなるドレン排出装置において、前記ドレン収容部８内であって前記水抜き栓１５の上方位置に、ドレン水Ｄに対して静菌作用を発揮する抗菌剤１９，１９・・を有する抗菌剤ユニットＫを配置して、ドレン収容部８のドレン水Ｄを抜き取るために、水抜き栓１５を取り外した時には、抗菌剤ユニットＫを取り出すことが可能となるようにしている。【選択図】        図２
2006194493.tif 000002
【特許請求の範囲】
【請求項１】
熱交換器（６）からのドレン水（Ｄ）を受け止めるドレン収容部（８）を備え、該ドレン収容部（８）の最深部（８ａ）には、ドレン収容部（８）内のドレン水（Ｄ）を抜き取るための水抜き穴（１４）を形成し且つ該水抜き穴（１４）には、水抜き栓（１５）を着脱自在に設けてなるドレン排出装置であって、前記ドレン収容部（８）内であって前記水抜き栓（１５）の上方位置には、ドレン水（Ｄ）に対して静菌作用を発揮する抗菌剤（１９），（１９）・・を有する抗菌剤ユニット（Ｋ）を配置したことを特徴とするドレン排出装置。
【請求項２】
熱交換器（６）からのドレン水（Ｄ）を受け止めるドレン収容部（８）を備え、該ドレン収容部（８）の最深部（８ａ）には、ドレン収容部（８）内のドレン水（Ｄ）を抜き取るための水抜き穴（１４）を形成し且つ該水抜き穴（１４）には、水抜き栓（１５）を着脱自在に設けてなるドレン排出装置であって、前記ドレン収容部（８）内には、前記水抜き栓（１５）に対して連結部材（２４）を介して連結され且つドレン水（Ｄ）に対して静菌作用を発揮する抗菌剤（１９），（１９）・・を有する抗菌剤ユニット（Ｋ）を配置したことを特徴とするドレン排出装置。
【請求項３】
前記抗菌剤ユニット（Ｋ）を、前記水抜き穴（１５）の口径（ｄ２）より小径としたことを特徴とする請求項１および２のいずれか一項記載のドレン排出装置。
【請求項４】
前記抗菌剤ユニット（Ｋ）を、多数の開孔部（２１），（２１）・・を有する保持容器（２０）内に粒状あるいはペレット状の多数の抗菌剤（１９），（１９）・・を収納して構成したことを特徴とする請求項１、２および３のいずれか一項記載のドレン排出装置。
【請求項５】
前記抗菌剤ユニット（Ｋ）を、合成樹脂等の材料からなる保持材（２２）に粒状あるいはペレット状の多数の抗菌剤（１９），（１９）・・を練り込んで構成したことを特徴とする請求項１、２および３のいずれか一項記載の空気調和機。
【発明の詳細な説明】
【技術分野】
【０００１】
本願発明は、空気調和機において熱交換器から発生するドレン水を受け止めるドレン収容部を備えたドレン排出装置に関し、さらに詳しくはメンテナンスが容易で静菌作用（換言すれば、細菌の繁殖抑制作用）に優れたドレン排出装置に関するものである。
【背景技術】
【０００２】
一般の空気調和機は、熱交換器および送風機を備え、前記熱交換器の下方には、ドレン水を受け止めるドレン収容部を設けて構成されているが、ドレン収容部内のドレン水には細菌が繁殖することが多い。
【０００３】
ドレン水に細菌が繁殖すると、スライムが生成され、異臭やドレン配管の詰まりを発生させるという不具合が生ずる。
【０００４】
上記不具合に対処するために、ドレン収容部であるドレンパンに抗菌剤を入れてドレン水に浸漬させて細菌の発生を防止することとされている（特許文献１参照）。
【０００５】
【特許文献１】特開２０００−７４４０９号公報。
【発明の開示】
【発明が解決しようとする課題】
【０００６】
ところが、上記特許文献１に開示されているように、ドレンパン内に抗菌剤を配設する場合、抗菌剤の交換等の際には、ドレンパンを取り外さなければならず、抗菌剤のメンテナンス作業が面倒なものとなるという不具合が存する。
【０００７】
本願発明は、上記の点に鑑みてなされたもので、ドレン収容部を取り外すことなく、抗菌剤のメンテナンスが可能となるようにすることを目的としている。
【課題を解決するための手段】
【０００８】
本願発明では、上記課題を解決するための第１の手段として、熱交換器６からのドレン水Ｄを受け止めるドレン収容部８を備え、該ドレン収容部８の最深部８ａに、ドレン収容部８内のドレン水Ｄを抜き取るための水抜き穴１４を形成し且つ該水抜き穴１４に、水抜き栓１５を着脱自在に設けてなるドレン排出装置において、前記ドレン収容部８内であって前記水抜き栓１５の上方位置に、ドレン水Ｄに対して静菌作用を発揮する抗菌剤１９，１９・・を有する抗菌剤ユニットＫを配置している。
【０００９】
上記のように構成したことにより、ドレン収容部８内にドレン水Ｄが存在しているときには、水抜き栓１５の上方に配置された（換言すれば、ドレン収容部８における最深部８ａに配置された）抗菌剤ユニットＫに含まれる抗菌剤１９，１９・・の静菌作用によってドレン水Ｄにおける細菌増殖が抑制されることとなり、ドレン収容部８内におけるスライムの増殖を防止できる。一方、ドレン収容部８のドレン水Ｄを抜き取るために、水抜き栓１５を取り外した時には、抗菌剤ユニットＫを取り出すことが可能となり、抗菌剤ユニットＫに対するメンテナンスを容易に行うことができる。
【００１０】
本願発明では、上記課題を解決するための第２の手段として、熱交換器６からのドレン水Ｄを受け止めるドレン収容部８を備え、該ドレン収容部８の最深部８ａに、ドレン収容部８内のドレン水Ｄを抜き取るための水抜き穴１４を形成し且つ該水抜き穴１４に、水抜き栓１５を着脱自在に設けてなるドレン排出装置において、前記ドレン収容部８内に、前記水抜き栓１５に対して連結部材２４を介して連結され且つドレン水Ｄに対して静菌作用を発揮する抗菌剤１９，１９・・を有する抗菌剤ユニットＫを配置している。
【００１１】
上記のように構成したことにより、ドレン収容部８内にドレン水Ｄが存在しているときには、水抜き栓１５に対して連結部材２４を介して連結された（換言すれば、ドレン収容部８における最深部８ａに配置された）抗菌剤ユニットＫに含まれる抗菌剤１９，１９・・の静菌作用によってドレン水Ｄにおける細菌増殖が抑制されることとなり、ドレン収容部８内におけるスライムの増殖が防止される。一方、ドレン収容部８のドレン水Ｄを抜き取るために、水抜き栓１５を取り外した時には、水抜き栓１５と共に、抗菌剤ユニットＫを取り出すことが可能となり、抗菌剤ユニットＫに対するメンテナンスを容易に行うことができる。
【００１２】
本願発明では、さらに、上記課題を解決するための第３の手段として、上記第１又は第２の手段を備えたドレン排出装置において、前記抗菌剤ユニットＫを、前記水抜き穴１４の口径ｄ2より小径とすることもでき、そのように構成した場合、水抜き栓１５を取り外した際に、水抜き穴１４から抗菌剤ユニットＫを容易に取り出すことができることとなり、抗菌剤ユニットＫに対するメンテナンスがさらに容易となる。
【００１３】
本願発明では、さらに、上記課題を解決するための第４の手段として、上記第１、第２又は第３の手段を備えたドレン排出装置において、前記抗菌剤ユニットＫを、多数の開孔部２１，２１・・を有する保持容器２０内に粒状あるいはペレット状の多数の抗菌剤１９，１９・・を収納して構成することもでき、そのように構成した場合、ドレン水Ｄと抗菌剤１９，１９・・との接触面積を大きくできるところから、静菌効果を長時間持続できる。
【００１４】
本願発明では、さらに、上記課題を解決するための第４の手段として、上記第１、第２又は第３の手段を備えたドレン排出装置において、前記抗菌剤ユニットＫを、合成樹脂等の材料からなる保持材２２に粒状あるいはペレット状の多数の抗菌剤１９，１９・・を練り込んで構成することもでき、そのように構成した場合、ドレン水Ｄと抗菌剤１９，１９・・との接触面積を大きくできるところから、静菌効果を長時間持続できる。
【発明の効果】
【００１５】
本願発明の第１の手段によれば、熱交換器６からのドレン水Ｄを受け止めるドレン収容部８を備え、該ドレン収容部８の最深部８ａに、ドレン収容部８内のドレン水Ｄを抜き取るための水抜き穴１４を形成し且つ該水抜き穴１４に、水抜き栓１５を着脱自在に設けてなるドレン排出装置において、前記ドレン収容部８内であって前記水抜き栓１５の上方位置に、ドレン水Ｄに対して静菌作用を発揮する抗菌剤１９，１９・・を有する抗菌剤ユニットＫを配置して、ドレン収容部８内にドレン水Ｄが存在しているときには、水抜き栓１５の上方に配置された（換言すれば、ドレン収容部８における最深部８ａに配置された）抗菌剤ユニットＫに含まれる抗菌剤１９，１９・・の静菌作用によってドレン水Ｄにおける細菌増殖が抑制されるようにしたので、ドレン収容部８内におけるスライムの増殖が防止されるという効果がある。しかも、ドレン収容部８のドレン水Ｄを抜き取るために、水抜き栓１５を取り外した時には、抗菌剤ユニットＫを取り出すことが可能となり、抗菌剤ユニットＫに対するメンテナンスを容易に行うことができるという効果もある。
【００１６】
本願発明の第２の手段によれば、熱交換器６からのドレン水Ｄを受け止めるドレン収容部８を備え、該ドレン収容部８の最深部８ａに、ドレン収容部８内のドレン水Ｄを抜き取るための水抜き穴１４を形成し且つ該水抜き穴１４に、水抜き栓１５を着脱自在に設けてなるドレン排出装置において、前記ドレン収容部８内に、前記水抜き栓１５に対して連結部材２４を介して連結され且つドレン水Ｄに対して静菌作用を発揮する抗菌剤１９，１９・・を有する抗菌剤ユニットＫを配置して、ドレン収容部８内にドレン水Ｄが存在しているときには、水抜き栓１５に対して連結部材２４を介して連結された（換言すれば、ドレン収容部８における最深部８ａに配置された）抗菌剤ユニットＫに含まれる抗菌剤１９，１９・・の静菌作用によってドレン水Ｄにおける細菌増殖が抑制されるようにしたので、ドレン収容部８内におけるスライムの増殖が防止されるという効果がある。しかも、ドレン収容部８のドレン水Ｄを抜き取るために、水抜き栓１５を取り外した時には、水抜き栓１５と共に、抗菌剤ユニットＫを取り出すことが可能となり、抗菌剤ユニットＫに対するメンテナンスを容易に行うことができるという効果もある。
【００１７】
本願発明の第３の手段におけるように、上記第１又は第２の手段を備えたドレン排出装置において、前記抗菌剤ユニットＫを、前記水抜き穴１４の口径ｄ2より小径とすることもでき、そのように構成した場合、水抜き栓１５を取り外した際に、水抜き穴１４から抗菌剤ユニットＫを容易に取り出すことができることとなり、抗菌剤ユニットＫに対するメンテナンスがさらに容易となる。
【００１８】
本願発明の第４の手段におけるように、上記第１、第２又は第３の手段を備えたドレン排出装置において、前記抗菌剤ユニットＫを、多数の開孔部２１，２１・・を有する保持容器２０内に粒状あるいはペレット状の多数の抗菌剤１９，１９・・を収納して構成することもでき、そのように構成した場合、ドレン水Ｄと抗菌剤１９，１９・・との接触面積を大きくできるところから、静菌効果を長時間持続できる。
【００１９】
本願発明の第４の手段におけるように、上記第１、第２又は第３の手段を備えたドレン排出装置において、前記抗菌剤ユニットＫを、合成樹脂等の材料からなる保持材２２に粒状あるいはペレット状の多数の抗菌剤１９，１９・・を練り込んで構成することもでき、そのように構成した場合、ドレン水Ｄと抗菌剤１９，１９・・との接触面積を大きくできるところから、静菌効果を長時間持続できる。
【発明を実施するための最良の形態】
【００２０】
以下、添付の図面を参照して、本願発明の幾つかの好適な実施の形態について説明する。
【００２１】
本実施の形態にかかる空気調和機は、天井埋込式空気調和機用室内機とされており、図１に示すように、天井Ｆに形成された矩形形状の開口１の上方に位置して天井裏の棟木（図示省略）に対して吊りボルト２，２を介して吊り下げ支持された空気調和機本体３と、前記開口１を覆う化粧パネル４とによって構成されている。
【００２２】
前記空気調和機本体１は、略直方体形状のケーシング５内に熱交換器６および送風機７を配設するとともに、前記熱交換器６の下方には、該熱交換器６から落下するドレン水Ｄを受け止めるドレン収容部となるドレンパン８が配設されている。符号９はベルマウス、１０は空気通路である。
【００２３】
前記化粧パネル４は、前記開口１を覆うに足る大きさを有する矩形形状とされており、その中央部には、空気吸込口１１が形成され、該空気吸込口１１の回りには、前記空気通路１０とそれぞれ連通する４個の空気吹出口１３が形成されている。
【００２４】
前記熱交換器６は、開放部を有する略環状とされており、例えばクロスフィンコイルタイプの熱交換器とされている。
【００２５】
前記ドレンパン８は、前記熱交換器６の形状と対応するように、開放部を有する略環状とされており、断面Ｕ字状とされている。また、このドレンパン８における一端部側には、ドレン水Ｄを汲み上げるドレンポンプ１６が配設されている。本実施の形態においては、前記ドレンパン８およびドレンポンプ１６がドレン排出装置を構成することとなっている。
【００２６】
第１の実施の形態
図２および図３には、本願発明の第１の実施の形態にかかるドレン排出装置の要部が示されている。
【００２７】
この場合、図２に示すように、ドレンパン８の最深部８ａには、ドレン収容部８内のドレン水Ｄを抜き取るための水抜き穴１４が形成されており、該水抜き穴１４には、水抜き栓１５が着脱自在に設けられている。符号１７はドレンポンプ１６の吸込口、１８はドレンポンプ１６の駆動源であるモータである。
【００２８】
そして、前記ドレンパン８内であって前記水抜き栓１５の上方位置には、ドレン水Ｄに対して静菌作用を発揮する抗菌剤１９，１９・・を有する抗菌剤ユニットＫが配置されている。この場合、抗菌剤ユニットＫは、前記ドレンポンプ１６に対して支持部材２３を介して着脱可能に取り付けられている。この場合、抗菌剤ユニットＫの径ｄ1は、前記水抜き穴１４の口径ｄ2より小径とされている（図３参照）。ここで、水抜き栓１５の上方位置に抗菌剤ユニットＫを配置するとは、水抜き栓１５と抗菌剤ユニットＫとの間にドレン水Ｄが存在している状態を意味する。
【００２９】
上記のように構成したことにより、ドレン収容部８内にドレン水Ｄが存在しているときには、水抜き栓１５の上方に配置された（換言すれば、ドレンパン８における最深部８ａに配置された）抗菌剤ユニットＫに含まれる抗菌剤１９，１９・・の静菌作用によってドレン水Ｄにおける細菌増殖が抑制されることとなり、ドレンパン８内におけるスライムの増殖を防止できる。
【００３０】
一方、ドレンパン８のドレン水Ｄを抜き取るために、水抜き栓１５を取り外した時には、抗菌剤ユニットＫを取り出すことが可能となり、抗菌剤ユニットＫに対するメンテナンスを容易に行うことができる（図３参照）。
【００３１】
ところで、例えば図４（イ）の正面図、（ロ）の内部拡大図および図５（イ）の平面図、（ロ）の内部拡大図に示すように、多数の開孔部２１，２１・・を有する円筒形状の保持容器２０内に粒状またはペレット状の抗菌剤１９，１９・・を収容して抗菌剤ユニットＫを構成する場合もあり、例えば図６（イ）の正面図、（ロ）の内部拡大図および図７（イ）の平面図、（ロ）の内部拡大図に示すように、多数の開孔部２１，２１・・を有するシート形状の保持容器２０内に粒状またはペレット状の抗菌剤１９，１９・・を収容して抗菌剤ユニットＫを構成する場合もある。なお、図７（ハ）の内部拡大図に示すように、保持容器２０を外周部を溶着した網状部材で構成する場合もある。これらの場合、開孔部２１の大きさは、抗菌剤１９の粒子径あるいはペレット径より小さくされている。なお、保持容器２０の形状は、上記以外の形状（例えば、多角形筒形状あるいは楕円筒形状）でもよく、その壁面は、網、多孔質、不織布、パンチングプレート等のように開孔部（明確な開口部がなくとも水の出入りが可能であればよい）をもつものであればなんでも良い。また、開孔部の形状はなんでもよい。また、保持容器２１の材質は、金属、合成樹脂、布等のように水に対して大局的に不溶性のものであれば良い。さらに、保持容器２０は、自立性（即ち、容器自体で形状を保持できるもの）があってもなくても（例えば、袋のように容器自体で形状を保てないもの）良い。
【００３２】
また、図８（イ）の正面図、（ロ）の内部拡大図および図９（イ）の平面図、（ロ）の内部拡大図に示すように、合成樹脂等の材料からなる保持材２２に抗菌剤１９，１９・・を練り込んで抗菌剤ユニットＫを構成する場合もある。この場合、保持材２２の形状は、円柱形状、多角形柱形状、楕円柱形状、シート形状等のいずれでもよい。
【００３３】
第２の実施の形態
図１０および図１１には、本願発明の第２の実施の形態にかかるドレン排出装置の要部が示されている。
【００３４】
この場合、ドレンパン８内には、水抜き栓１５に対して連結部材２４を介して連結され且つドレン水Ｄに対して静菌作用を発揮する抗菌剤１９，１９・・を有する抗菌剤ユニットＫが配置されている。
【００３５】
上記のように構成したことにより、ドレンパン８内にドレン水Ｄが存在しているときには、水抜き栓１５に対して連結部材２４を介して連結された状態で配置された（換言すれば、ドレンパン８における最深部８ａに配置された）抗菌剤ユニットＫに含まれる抗菌剤１９，１９・・の静菌作用によってドレン水Ｄにおける細菌増殖が抑制されることとなり、ドレン収容部８内におけるスライムの増殖が防止される。
【００３６】
一方、ドレンパン８のドレン水Ｄを抜き取るために、水抜き栓１５を取り外した時には、水抜き栓１５と共に抗菌剤ユニットＫを取り出すことが可能となり、抗菌剤ユニットＫに対するメンテナンスを容易に行うことができる。
【００３７】
その他の構成および作用効果は、第１の実施の形態におけると同様なので説明を省略する。
【００３８】
なお、上記各実施の形態において使用されている抗菌剤としては、銀（Ａｇ）、銅（Ｃｕ）、亜鉛（Ｚｎ）、錫（Ｓｎ）などの無機化合物を主体とする無機系抗菌剤、さらにパラクロロメタキシレノールおよび２−５−ジクロロ−４−ブロモフェノールなどのフェノール類、Ｎ−（フロロジクロロメチルチオ）−フタルイミドおよびＮ，Ｎ−ジメチル−Ｎ′−フェニル−Ｎ′−（フロロジクロロメチルチオ）−スルファミドなどのハロアルキル類、その他の有機系抗菌剤などがある。
【００３９】
また、上記無機系抗菌剤の場合、抗菌剤を、例えば炭酸カルシウム、ゼオライト、カオリンクレー、珪藻土、タルク、ベンナイト、セラミックス、活性炭、アパタイトなどに担持させた無機系抗菌剤を採用することもできる。セラミックス、活性炭、アパタイトなどに担持させた無機系抗菌剤は抗菌性が高く、非揮発性であり、樹脂と混練し易いなどのメリットがある。さらに、無機系抗菌剤を担持した水溶解性ガラス等のように、水に溶けることによって殺菌効果のある抗菌剤が溶出する粒状又はペレット状のものなどがある。
【００４０】
また、上記各実施の形態においては、空気調和機のドレン排出装置について説明したが、本願発明は、空気調和機からのドレン配管の途中に配設されるドレンアップキット等にも適用可能なことは勿論である。
【図面の簡単な説明】
【００４１】
【図１】本願発明の実施の形態にかかるドレン排出装置を備えた空気調和機の縦断面図である。
【図２】本願発明の第１の実施の形態にかかる空気調和機におけるドレン排出装置の要部拡大断面図である。
【図３】本願発明の第１の実施の形態にかかる空気調和機におけるドレン排出装置の水抜き栓取り外し状態を示す要部拡大断面図である。
【図４】本願発明の第１の実施の形態にかかる空気調和機におけるドレン排出装置において使用される抗菌剤の使用形態例Ｉを示すものであり、（イ）は正面図、（ロ）は内部拡大図である。
【図５】本願発明の第１の実施の形態にかかる空気調和機におけるドレン排出装置において使用される抗菌剤の使用形態例Ｉを示すものであり、（イ）は平面図、（ロ）は内部拡大図である。
【図６】本願発明の第１の実施の形態にかかる空気調和機におけるドレン排出装置において使用される抗菌剤の使用形態例ＩＩを示すものであり、（イ）は正面図、（ロ）は内部拡大図である。
【図７】本願発明の第１の実施の形態にかかる空気調和機におけるドレン排出装置において使用される抗菌剤の使用形態例ＩＩを示すものであり、（イ）は平面図、（ロ）は内部拡大図である。
【図８】本願発明の第１の実施の形態にかかる空気調和機におけるドレン排出装置において使用される抗菌剤の使用形態例ＩＩＩを示すものであり、（イ）は正面図、（ロ）は内部拡大図である。
【図９】本願発明の第１の実施の形態にかかる空気調和機におけるドレン排出装置において使用される抗菌剤の使用形態例ＩＩＩを示すものであり、（イ）は平面図、（ロ）は内部拡大図、（ハ）は変形例を示す内部拡大図である。
【図１０】本願発明の第２の実施の形態にかかる空気調和機におけるドレン排出装置の要部拡大断面図である。
【図１１】本願発明の第２の実施の形態にかかる空気調和機におけるドレン排出装置の水抜き栓取り外し状態を示す要部拡大断面図である。
【符号の説明】
【００４２】
６は熱交換器
８はドレン収容部（ドレンパン）
８ａは最深部
１４は水抜き穴
１５は水抜き栓
１９は抗菌剤
２０は保持容器
２１は開孔部
２２は保持部材
２４は連結部材
ｄ2は水抜き穴の口径
Ｄはドレン水
Ｋは抗菌剤ユニット
【図１】
2006194493.tif 000003
【図２】
2006194493.tif 000004
【図３】
2006194493.tif 000005
【図４】
2006194493.tif 000006
【図５】
2006194493.tif 000007
【図６】
2006194493.tif 000008
【図７】
2006194493.tif 000009
【図８】
2006194493.tif 000010
【図９】
2006194493.tif 000011
【図１０】
2006194493.tif 000012
【図１１】
2006194493.tif 000013